【手続補正書】
【提出日】平成29年6月7日(2017.6.7)
【手続補正１】
【補正対象書類名】特許請求の範囲
【補正対象項目名】請求項５
【補正方法】変更
【補正の内容】
【請求項５】
弁搭載面およびシリンダ孔が形成されるブロック部材と、
前記シリンダ孔に往復動自在に設けられ、前記シリンダ孔を前進用シリンダ室と、後退用シリンダ室に区画するピストンと、
前記ピストンに設けられ、前記後退用シリンダ室を介して前記ブロック部材の一端から突出するピストンロッドと、
前記ブロック部材に設けられ、それぞれ前記前進用シリンダ室に連通する第１の出力連通口および第２の出力連通口と、
前記ブロック部材に設けられ、それぞれ前記後退用シリンダ室に連通する第３の出力連通口および第４の出力連通口と、
前記第１の出力連通口と第１の供給ポートとを連通する第１の出力ポートと、前記第３の出力連通口と前記第１の供給ポートとを連通する第２の出力ポートとを有し、前記弁搭載面に搭載される第１の電磁弁と、
前記第２の出力連通口と第２の供給ポートとを連通する第３の出力ポートと、前記第４の出力連通口と前記第２の供給ポートとを連通する第４の出力ポートとを有し、前記弁搭載面に前記第１の電磁弁に隣り合って搭載される第２の電磁弁と、を備え、
前記前進用シリンダ室は、前記第１の出力連通口を介して前記第１の電磁弁の前記第１の出力ポートに連通するとともに、前記第２の出力連通口を介して前記第２の電磁弁の前記第３の出力ポートに連通し、
前記後退用シリンダ室は、前記第３の出力連通口を介して前記第１の電磁弁の前記第２の出力ポートに連通するとともに、前記第４の出力連通口を介して前記２の電磁弁の前記第４の出力ポートに連通する、空気圧シリンダ装置。
【手続補正２】
【補正対象書類名】特許請求の範囲
【補正対象項目名】請求項６
【補正方法】変更
【補正の内容】
【請求項６】
請求項５記載の空気圧シリンダ装置において、
それぞれ前記前進用シリンダ室に連通する第１の排気連通口および第２の排気連通口を前記ブロック部材に設け、
それぞれ前記後退用シリンダ室に連通する第３の排気連通口および第４の排気連通口を前記ブロック部材に設け、
前記第１の出力連通口と前記第１の排気連通口とを連通する第１の排気ポートと、前記第３の出力連通口と前記第３の排気連通口とを連通する第２の排気ポートとを前記第１の電磁弁に設け、
前記第２の出力連通口と前記第２の排気連通口とを連通する第３の排気ポートと、前記第４の出力連通口と前記第４の排気連通口とを連通する第４の排気ポートとを前記第２の電磁弁に設けた、空気圧シリンダ装置。
【手続補正３】
【補正対象書類名】特許請求の範囲
【補正対象項目名】請求項７
【補正方法】変更
【補正の内容】
【請求項７】
請求項６記載の空気圧シリンダ装置において、
前記第１の電磁弁は、
第１の供給ポートと第２の出力ポートとを連通させ、第１の出力ポートと第１の排気ポートとを連通させる第１の位置、および前記第１の供給ポートと前記第1の出力ポートとを連通させ、第２の出力ポートと第２の排気ポートとを連通させる第２の位置とに駆動され、
前記第２の電磁弁は、
第２の供給ポートと第４の出力ポートとを連通させ、第３の出力ポートと第３の排気ポートとを連通させる第１の位置、および前記第２の供給ポートと前記第３の出力ポートとを連通させ、第４の出力ポートと第４の排気ポートとを連通させる第２の位置とに駆動される、空気圧シリンダ装置。
【手続補正４】
【補正対象書類名】明細書
【補正対象項目名】００１０
【補正方法】変更
【補正の内容】
【００１０】
本発明の空気圧シリンダ装置は、弁搭載面およびシリンダ孔が形成されるブロック部材と、前記シリンダ孔に往復動自在に設けられ、前記シリンダ孔を前進用シリンダ室と、後退用シリンダ室に区画するピストンと、前記ピストンに設けられ、前記後退用シリンダ室を介して前記ブロック部材の一端から突出するピストンロッドと、前記ブロック部材に設けられ、それぞれ前記前進用シリンダ室に連通する第１の出力連通口および第２の出力連通口と、前記ブロック部材に設けられ、それぞれ前記後退用シリンダ室に連通する第３の出力連通口および第４の出力連通口と、前記第１の出力連通口と第１の供給ポートとを連通する第１の出力ポートと、前記第３の出力連通口と前記第１の供給ポートとを連通する第２の出力ポートとを有し、前記弁搭載面に搭載される第１の電磁弁と、前記第２の出力連通口と第２の供給ポートとを連通する第３の出力ポートと、前記第４の出力連通口と前記第２の供給ポートとを連通する第４の出力ポートとを有し、前記弁搭載面に前記第１の電磁弁に隣り合って搭載される第２の電磁弁と、を備え、前記前進用シリンダ室は、前記第１の出力連通口を介して前記第１の電磁弁の前記第１の出力ポートに連通するとともに、前記第２の出力連通口を介して前記第２の電磁弁の前記第３の出力ポートに連通し、前記後退用シリンダ室は、前記第３の出力連通口を介して前記第１の電磁弁の前記第２の出力ポートに連通するとともに、前記第４の出力連通口を介して前記２の電磁弁の前記第４の出力ポートに連通する。
【手続補正５】
【補正対象書類名】明細書
【補正対象項目名】００１１
【補正方法】変更
【補正の内容】
【００１１】
追加取付スペースがブロック部材に設けられているので、追加取付スペースに電磁弁を搭載すると、空気圧シリンダ装置はピストンロッドを駆動するための複数の電磁弁が搭載された形態となる。それぞれの電磁弁を同時に切り替えると、高速作動モードでピストンロッドを駆動することができる。追加取付スペースから電磁弁を取り外して閉鎖プレートにより塞ぐと、空気圧シリンダ装置は低速作動モードに切り換えられる。また、弁搭載面に２つの電磁弁を搭載することにより、前進用シリンダ室と後退用シリンダ室とに両方の電磁弁を介して圧縮空気を供給することができ、ピストンロッドを高速で往復動させることができる。
【手続補正６】
【補正対象書類名】明細書
【補正対象項目名】００１６
【補正方法】変更
【補正の内容】
【００１６】
第１の電磁弁２１と第２の電磁弁２２が弁搭載面１３に着脱自在に装着される。第１の電磁弁２１と第２の電磁弁２２は相互に隣り合って装着される。第１の電磁弁２１と第２の電磁弁２２は、それぞれ５ポート２位置電磁弁である。第１の電磁弁２１は、図３に示されるように、弁側の供給ポート２３ａ（第１の供給ポート）と、この供給ポート２３ａの前後両側の２つの弁側の出力ポート２４ａ，２５ａ（第１、第２の出力ポート）と、それぞれの出力ポート２４ａ，２５ａに隣り合った２つの弁側の排気ポート２６ａ，２７ａ（第１、第２の排気ポート）とを有している。第２の電磁弁２２も第１の電磁弁２１と同様に、上述したそれぞれのポート２３ａ〜２７ａに対応して、弁側の供給ポート２３ｂ（第２の供給ポート）と、２つの弁側の出力ポート２４ｂ，２５ｂ（第３、第４の出力ポート）と、２つの弁側の排気ポート２６ｂ，２７ｂ（第３、第４の排気ポート）とを有している。第２の電磁弁２２の各ポートに対応する符号は、図３において、第１の電磁弁２１の各ポートに対応する符号にカッコ書きで示されている。
【手続補正７】
【補正対象書類名】明細書
【補正対象項目名】００２０
【補正方法】変更
【補正の内容】
【００２０】
図８に示されるように、出力連通口Ａ１が第１の電磁弁２１の出力ポート２４ａに対応してブロック部材１１に設けられている。出力連通口Ａ２が第２の電磁弁２２の出力ポート２４ｂに対応してブロック部材１１に設けられている。それぞれの出力連通口Ａ１，Ａ２は、弁搭載面１３に開口している。図６および図８に示されるように、それぞれの出力連通口Ａ１，Ａ２は、前進用のシリンダ室１７に連通する第１、第２の出力連通口となっている。
【手続補正８】
【補正対象書類名】明細書
【補正対象項目名】００２１
【補正方法】変更
【補正の内容】
【００２１】
図９に示されるように、出力連通口Ｂ１が第１の電磁弁２１の出力ポート２５ａに対応してブロック部材１１に設けられている。出力連通口Ｂ２が第２の電磁弁２２の出力ポート２５ｂに対応してブロック部材１１に設けられている。それぞれの出力連通口Ｂ１，Ｂ２は弁搭載面１３に開口している。図６および図１２に示されるように、出力連通口３３ａ，３３ｂがブロック部材１１に設けられ、それぞれの出力連通口３３ａ，３３ｂは後退用のシリンダ室１８に開口している。出力連通口Ｂ１と出力連通口３３ａとを連通させるため出力連通流路３４ａがブロック部材１１に設けられ、出力連通口Ｂ２と出力連通口３３ｂとを連通させるため出力連通流路３４ｂがブロック部材１１に設けられている。これにより、出力連通口Ｂ１は、出力連通流路３４ａと出力連通口３３ａにより後退用のシリンダ室１８に連通している。出力連通口Ｂ２は出力連通流路３４ｂと出力連通口３３ｂにより後退用のシリンダ室１８に連通している。それぞれの出力連通口Ｂ１，Ｂ２は、後退用のシリンダ室１８に連通する第３、第４の出力連通口となっている。
【手続補正９】
【補正対象書類名】明細書
【補正対象項目名】００２２
【補正方法】変更
【補正の内容】
【００２２】
図１０に示されるように、排気連通口Ｒａ１が第１の電磁弁２１の排気ポート２６ａに対応してブロック部材１１に設けられている。排気連通口Ｒｂ１が第２の電磁弁２２の排気ポート２６ｂに対応してブロック部材１１に設けられている。両方の排気連通口Ｒａ１，Ｒｂ１は、第１、第２の排気連通口となっている。図３に示されるように、圧縮空気を排出するために、ブロック部材側の排気ポートつまり排気ポートＲ１，Ｒ２が排気連通口Ｒａ１，Ｒｂ１に対応してブロック部材１１の後端面に開口してブロック部材１１に設けられている。排気用の２つの継手３５がそれぞれ排気ポートＲ１，Ｒ２に連通してブロック部材１１に装着され、継手３５には図示しない排気配管が接続される。
【手続補正１０】
【補正対象書類名】明細書
【補正対象項目名】００２３
【補正方法】変更
【補正の内容】
【００２３】
図１１に示されるように、排気連通口Ｒａ２が第１の電磁弁２１の排気ポート２７ａに対応してブロック部材１１に設けられている。排気連通口Ｒｂ２が第２の電磁弁２２の排気ポート２７ｂに対応してブロック部材１１に設けられている。両方の排気連通口Ｒａ２，Ｒｂ２は、連通流路３６により相互に連通され、第３、第４の排気連通口となっている。さらに、排気連通口Ｒａ２，Ｒｂ２は、図示しない電磁弁中の連通流路により排気ポートＲに連通されている。